(57)【要約】【課題】本発明は、光ファイバの挿入が容易で作業性に優れているとともに、高密度化を図ってもその製造において歩留まりよく成形することができる多心光コネクタを提供することを課題とするものである。【解決手段】複数の光ファイバ９を平行に並べて一括し全体としてテープ形状を呈するテープ心線９１が差し入れられるフェルール２の内部に、テープ心線９１から表出する光ファイバ９が挿入される挿入孔４と、光ファイバ９の挿入孔４への挿入を促すようにテープ心線９１を案内する案内部８とが設けられている。【選択図】　図１
2004069838.tif 000002
【特許請求の範囲】
【請求項１】
複数の光ファイバを平行に並べて一括し全体としてテープ形状を呈するテープ心線が差し入れられるフェルールの内部に、テープ心線から表出する光ファイバが挿入される挿入孔と、光ファイバの挿入孔への挿入を促すようにテープ心線を案内する案内部とが設けられる多心光コネクタ。
【請求項２】
請求項１記載の多心光コネクタにおいて、案内部は、テープ心線の外形に適合する形状に形成されることを特徴とする多心光コネクタ。
【請求項３】
請求項１または２記載の多心光コネクタにおいて、案内部は、複数のテープ心線を多段に配置するよう形成され、テープ心線の各段に対応する挿入孔への挿入を案内する多心光コネクタ。
【請求項４】
請求項３記載の多心光コネクタにおいて、幅方向の両側面に曲面形状を有するテープ心線に対応し、案内部には、テープ心線の曲面形状に適合した窪み形状の受部が設けられることを特徴とする多心光コネクタ。
【請求項５】
請求項４記載の多心光コネクタにおいて、案内部には、段の上下に隣接する受部と受部とにより突出して形成される突起部が設けられることを特徴とする多心光コネクタ。
【請求項６】
請求項３記載の多心光コネクタにおいて、案内部には、厚み方向に積層されるテープ心線を載置させる底面と、テープ心線の幅方向の寸法に適合する間隔で対向しテープ心線の幅方向の位置を規制する側面とが設けられることを特徴とする多心光コネクタ。
【請求項７】
請求項１から６のいずれかに記載の多心光コネクタにおいて、フェルールにはテープ心線が差し入れられる受容口と、挿入孔が設けられる挿入面とが備えられ、案内部は受容口から挿入孔までのフェルールの内部空間に設けられることを特徴とする多心光コネクタ。
【請求項８】
請求項７記載の多心光コネクタにおいて、テープ心線から表出する光ファイバの長さをＬ１、案内部の受容口側の端部から挿入面までの長さをＬ２とすると、Ｌ１＜Ｌ２であることを特徴とする多心光コネクタ。
【発明の詳細な説明】
【０００１】
【発明の属する技術分野】
本発明は、多心の光ファイバ用のコネクタに関する技術分野に属する。
【０００２】
【従来の技術】
近年の情報通信分野の急激な進展や、ＦＴＴＨ（Ｆｉｂｅｒ　Ｔｏ　Ｔｈｅ　Ｈｏｍｅ）の普及のための原動力として、大容量伝送が容易な光ファイバケーブルの使用が促進されている。そしてこれに伴い複数の光ファイバどうしを接続する多心光コネクタの需要が増加する傾向にある。多心光コネクタは、多心（２心、４心、８心、１２心等）の光ファイバが１つにまとめられたテープ心線を利用して接続するだけでなく、テープ心線を多段に重ねてさらに多心化し接続する構造も求められている。
【０００３】
光ファイバのコネクタでは、所定のピッチで配置された挿入孔に光ファイバを挿入させて支持する、フェルールと呼ばれる部品が使用される。光ファイバは、その外径が細い（１２５μｍ）ため、挿入孔に挿入する際の作業性が極めて悪く、挿入孔が見えにくいと挿入時に光ファイバを折ってしまう可能性があった。そのため、従来から挿入孔の手前に突出するガイド溝を設け、挿入時の作業性を改善する構造が提案されている。しかしながら、このガイド溝を設ける構造は、テープ心線を１段のみ接続する場合には問題ないが、多段で接続する場合にその製造が極めて困難であるという課題を有していた。
【０００４】
このようにテープ心線を多段に重ねる多心光コネクタとして、例えば特開２００１−６６４６３号公報に半円状のガイド溝がフェルールの内部空間に備えられた構造が開示されている。この公報のガイド溝は、特開平１１−８４１７７号公報に開示されているガイド溝の構造を改良したもので、光ファイバの高密度化を図ってもガイド溝の製造が可能となるよう、ガイド溝の直径を光ファイバの縦配列のピッチ及び横配列のピッチよりも小さくしている。すなわち、高密度化により光ファイバの配列ピッチが小さくなっても、ガイド溝を作るための金型が製作できるように、ガイド溝の寸法を小さく規定している。そして、ガイド溝を多段に設けた際の作業性を配慮して、上側のガイド溝より下側のガイド溝を段階的に長く突出させている。
【０００５】
【発明が解決しようとする課題】
特開２００１−６６４６３号公報のガイド溝は公報に図示されているように、スペーサで位置決めされた成形ピンどうしの間隙によりその形状や寸法が規定される。そのため、突出するガイド溝の形状は、横方向の挿入孔の数を多くすれば横方向の長さが長く、また縦方向の配列のピッチを小さくすれば縦方向の厚みが薄くなる。そして成形終了時には、この横に長くかつ薄いガイド溝が金型の引き抜きによって取り出されなくてはならない。光ファイバの高密度化を図ると、ガイド溝の厚みは数μｍ〜数十μｍ程度になってしまうため、図面上は寸法が確保できても、実務上破損無く光コネクタを引き抜くことは困難となり、製造時に大きな課題であった。
【０００６】
さらに、下側のガイド溝を長く突出させて多段に設ける場合には、段数が増えるほど下側の突出寸法が長くなり、ガイド溝は、縦方向の厚みが薄くて横方向に長いうえに、奥行き方向にも長くなってしまう。そのため、多段に形成した際に光コネクタのガイド溝を破損無く成形することはさらに困難となり、ガイド溝を設けて高密度化する構造は、歩留まりよく製造することがきわめて大きな課題であった。
【０００７】
このような課題を考慮して、本発明は、光ファイバの挿入が容易で作業性に優れているとともに、高密度化を図ってもその製造において歩留まりよく成形することができる多心光コネクタを提供することを課題とするものである。
【０００８】
【課題を解決するための手段】
上記課題を解決するために、本発明の多心光コネクタは次のような手段を採用する。
【０００９】
すなわち、請求項１では、複数の光ファイバを平行に並べて一括し全体としてテープ形状を呈するテープ心線が差し入れられるフェルールの内部に、テープ心線から表出する光ファイバが挿入される挿入孔と、光ファイバの挿入孔への挿入を促すようにテープ心線を案内する案内部とが設けられる。
【００１０】
この手段では、テープ心線とこのテープ心線に含まれる光ファイバの位置関係を利用して、光ファイバを挿入孔に挿入する作業が、光ファイバと一体であるテープ心線の動きを案内部で案内することにより行われる。
【００１１】
また、請求項２では、請求項１記載の多心光コネクタにおいて、案内部は、テープ心線の外形に適合する形状に形成されることを特徴とする。
【００１２】
この手段では、テープ心線は案内部の形に沿って差し入れられる、または嵌め込まれるだけで位置決めされて、そのまま案内部に案内される。
【００１３】
また、請求項３では、請求項１または２記載の多心光コネクタにおいて、案内部は、複数のテープ心線を多段に配置するよう形成され、テープ心線の各段に対応する挿入孔への挿入を案内する。
【００１４】
この手段では、案内部で多段のテープ心線を案内できるため、光ファイバの高密度化が可能となる。
【００１５】
また、請求項４では、請求項３記載の多心光コネクタにおいて、幅方向の両側面に曲面形状を有するテープ心線に対応し、案内部には、テープ心線の曲面形状に適合した窪み形状の受部が設けられることを特徴とする。
【００１６】
この手段では、案内部の受部がその窪み形状により、テープ心線の曲面形状を支持して位置決めし、テープ心線の動きを案内する。
【００１７】
また、請求項５では、請求項４記載の多心光コネクタにおいて、案内部には、段の上下に隣接する受部と受部とにより突出して形成される突起部が設けられることを特徴とする。
【００１８】
この手段では、案内部の突起部が上下方向に多段に配置されるテープ心線の仕切りとして作用する。
【００１９】
また、請求項６では、請求項３記載の多心光コネクタにおいて、案内部には、厚み方向に積層されるテープ心線を載置させる底面と、テープ心線の幅方向の寸法に適合する間隔で対向しテープ心線の幅方向の位置を規制する側面とが設けられることを特徴とする。
【００２０】
この手段では、テープ心線は底面の上に直接接触させて積層され、その幅方向の位置が側面により規制されて位置決めされる。
【００２１】
また、請求項７では、請求項１から６のいずれかに記載の多心光コネクタにおいて、フェルールにはテープ心線が差し入れられる受容口と、挿入孔が設けられる挿入面とが備えられ、案内部は受容口から挿入孔までのフェルールの内部空間に設けられることを特徴とする。
【００２２】
この手段では、フェルールの内部空間を利用し、テープ心線は受容口から挿入面までの間でその動きが案内される。
【００２３】
また、請求項８では、請求項７記載の多心光コネクタにおいて、テープ心線から表出する光ファイバの長さをＬ１、案内部の受容口側の端部から挿入面までの長さをＬ２とすると、Ｌ１＜Ｌ２であることを特徴とする。
【００２４】
この手段では、テープ心線を案内部で案内する前に、光ファイバの先端が挿入孔に達することが防止される。
【００２５】
【発明の実施の形態】
以下、本発明の多心光コネクタの実施の形態について図面に基づいて説明する。図１は実施の形態（１）の多心光コネクタの背面から見た要部の外観図、図２は実施の形態（１）の多心光コネクタの前面から見た外観図、図３は実施の形態（１）の多心光コネクタの縦断面図、図４は実施の形態（１）の多心光コネクタの要部を背面から見た図、図５は実施の形態（１）の多心光コネクタへの挿入動作の他例を示す縦断面図である。
【００２６】
実施の形態（１）の多心光コネクタ１は、複数の光ファイバ９を平行に並べて一括し全体としてテープ形状を呈するテープ心線９１が差し入れられるフェルール２の内部に、テープ心線９１から表出する光ファイバ９が挿入される挿入孔４と、光ファイバ９の挿入孔４への挿入を促すようにテープ心線９１を案内する案内部８とが設けられている。
【００２７】
フェルール２は、位置決めピン結合方式のＭＴコネクタ（ＪＩＳ　Ｃ５９８１）の形状を適用し、テープ心線９１を多段に接続できるように構成したものである。光ファイバ９は複数がテープ状に一括されたテープ心線９１として用いられており、このテープ心線９１の外被覆層９２が所定の端末長Ｌ１分だけ除去されて光ファイバ９が表出される。そして、フェルール２の内部に差し入れられて、接続のために規定のピッチで支持される。
【００２８】
このフェルール２は外側に段付部２６を有した略々直方体で、その一方の端面２７側には、テープ心線９１をフェルール２内に受け入れる受容口２１が設けられ、受容口２１に対向する位置の端面側には、光ファイバ９を支持する支持部３が設けられている。そして、支持部３と受容口２１との間には内部空間２３が形成され、内部空間２３と外部を連通するようフェルール２に開口部６が形成されている。開口部６は挿入孔４の近傍に形成されており、光ファイバ９を挿入した後に固定用の接着剤を流し込むために設けられているが、光ファイバ９を挿入孔４に挿入する際に、光ファイバ９を目視で確認するためにも利用される。また、支持部３の外側から受容口２１側の外側まで貫通して、位置決めピン用のガイド孔２２、２２が設けられている。
【００２９】
支持部３は、外側に接続面７を、内部空間２３に面する側に挿入面５を有している。そして光ファイバ９を挿入するための挿入孔４が支持部３を貫通するように設けられており、隣接した挿入孔４どうしが平行に形成されている。挿入孔４は一列に並んで挿入孔列４０を構成するが、この一列の孔数は、１本のテープ心線９１に含まれる光ファイバ９の数で決められる。そして列数は、接続されるテープ心線９１の段数により決められる。この実施の形態（１）では、８心のテープ心線９１が４段重ねられて支持部３に挿入される形態を示しているため、挿入孔４としては、１列に８個並んだ挿入孔列４０が、上下に４列並んで形成されている。なお、ここでは開口部６に近い側を上、遠い側を下としている。
【００３０】
また、挿入孔４はその内径が段階的に形成されており、大径部４５、テーパ部４６、小径部４７で構成されている。小径部４７は、接続面７側に設けられており、外径１２５μｍの光ファイバ９を取り付ける場合には、光ファイバ９の外径より僅かに大きな、例えば公差１μｍ程度の内径に形成される。大径部４５は、挿入面５側に設けられており、挿入面５への光ファイバ９の挿入を行いやすくするために、小径部４７の内径より大きな内径に形成されている。テーパ部４６は、大径部４５から小径部４７に緩やかに移行するよう設けたテーパ形状である。
【００３１】
挿入孔４の列内でのピッチは、使用する光ファイバ９のテープ心線９１によって規定される。光ファイバ９のピッチが２５０μｍのテープ心線９１を使用する場合には、挿入孔４の列内でのピッチも２５０μｍとなる。そのため、大径部４５の内径は、１列内で隣接する挿入孔４どうしが干渉しない程度の範囲で任意に決められる。例えば外径１２５μｍで、列内での隣接のピッチが２５０μｍの光ファイバ９の場合には、大径部４５は２５０μｍ未満の内径に形成される。一方、挿入孔列４０の列間のピッチは、テープ心線９１の厚み（後述する平坦部９５の厚みＨ）以上となるよう決められる。この実施の形態では、挿入孔列４０の列間のピッチをテープ心線９１の平坦部９５の厚みＨとほぼ一致させている。
【００３２】
案内部８は、内部空間２３で挿入面５に向かった両側に位置する内側面２４、２５に設けられ、使用するテープ心線９１の外形に適合させて形成されている。テープ心線９１の外被覆層９２は、図４に例示したように、光ファイバ９の１本毎を被覆するよう設けられた第１被覆層９３と複数（図４では８本）の光ファイバ９を一括するように設けられた第２被覆層９４とから構成されている。この外被覆層９２で形成されるテープ心線９１の外形は、平坦部９５とその両側の曲面形状を呈する曲面部９６とからなっており、その寸法、形状が規定されている。そのため案内部８の形状は、使用するテープ心線９１に応じて決められる。
【００３３】
案内部８としては、受部８１がテープ心線９１の曲面部９６の曲率半径に適合するよう窪み形状に形成され、この受部８１が内側面２４、２５に対になって設けられている。ここではテープ心線９１を上下に４段配置できるように、受部８１の対も受容口２１に上下に４段設け、各段の受部８１は受容口２１から挿入面５まで連続している。この案内部８は、テープ心線９１の平坦部９５を接触させて積層するよう構成しているため、平坦部９５に対応する案内部８は設けていない。従って、段の上下に隣接する受部８１、８１の境界となる突起部８２が内部空間２３の内側面２４、２５のそれぞれに、３本ずつレールのように形成されている。
【００３４】
受部８１の窪み形状の曲率半径Ｒ２は、テープ心線９１の曲面部９６の曲率半径Ｒ１により規定される。この受部８１のＲ２は、テープ心線９１の挿入に必要な隙間やテープ心線９１の寸法のバラツキを考慮して、Ｒ１より僅かに大きく設定されている。また、受部８１の最も底となる点を底点８１１とすると、各段で対となる受部８１、８１の底点８１１、８１１の位置により、テープ心線９１の横（左右）方向の位置が規定される。そして、一対の底点８１１間の距離は、上述のＲ２と同様の理由でテープ心線９１の全体の幅Ｗより僅かに大きく設定されている。また、突起部８２は、上下に隣接する受部８１、８１の窪み形状の境界として突出した形状に形成されている。突起部８２は、受部８１のそれぞれの曲率半径Ｒ２が交差する点を頂点（仮想頂点８２２と記す）としているが、加工の都合上、仮想頂点８２２よりも少ない突出量の位置に先端点８２１を有し、この先端点８２１でテープ心線９２と接触する。そして、受部８１を挟む両側の仮想頂点８２２、８２２の位置により、テープ心線９１の縦（上下）方向の位置が規定され、仮想頂点８２２間の距離は、上述のＲ２、Ｗと同じ理由でテープ心線９１の高さ（厚み）Ｈより僅かに大きく設定されている。
【００３５】
光ファイバ９は、上述した外被覆層９２によりテープ心線９１の中でそのピッチが固定されているうえ、剛性を有している（Ｌ１は数ｍｍ程度である）ため、テープ心線９１から表出してもピッチが変わることがない。受部８１と挿入孔４は、テープ心線９１と光ファイバ９に合わせた位置関係で形成されているので、受部８１に嵌め込まれたテープ心線９１がそのままスライドされるだけで、各光ファイバ９が対応する挿入孔４に挿入できる。また、受部８１の各段のピッチは、挿入面５に配置されている挿入孔列４０の列間のピッチと一致しているため、テープ心線９１は案内部８に従うだけで、高密度に取り付けることができる。
【００３６】
光ファイバ９は、上述したように外被覆層９２の端末長Ｌ１分が除去されて、テープ心線９１から表出しているが、このＬ１は、受容口２１側の案内部８の端部８３から挿入面５までの長さＬ２と、Ｌ１＜Ｌ２という関係になっている。これは、テープ心線９１の外被覆層９２の先端部９７が、案内部８に差し込まれるより先に、光ファイバ９の先端部９８が挿入孔４に到達するのを防いでいる。光ファイバ９の先端が挿入孔４に先に到達すると、テープ心線９１が案内部８による案内を受けることができなくなり、挿入時の作業性が全く改善されないからである。
【００３７】
案内部４としては、テープ心線９１のサイズに合わせた形状の突起部８２を内部空間２３の内側面２４、２５に設けるだけでよく、従来技術のようにテープ心線９１に含まれる光ファイバ９の１本１本を案内する複雑で細かい形状のガイド溝を、挿入孔４の手前に薄く突出させる必要がない。また、この突起部８２は隣り合った窪み形状の受部８１により形成されるため、内側面２４、２５に近い根元側に行くほど太くなっている。そのため、突起部８２は従来技術のガイド溝に比べて成形する際に破損する心配がなく、歩留まりを大幅に向上させることができる。また、案内部８を成形するための金型も作りやすく、テープ心線９１の段数が増えても作りやすさに違いが生じないため、高密度化も図りやすい。
【００３８】
このように構成された実施の形態（１）の多心光コネクタ１の光ファイバ９を挿入する際の動作について図３、図４を用いて説明する。まず、８心のテープ心線９１が端末長Ｌ１分の外被覆層９２を除去されて、８本の光ファイバ９が表出される。そして、受容口２１から挿入面５を臨むと、図４に示すように突起部８２で仕切られた受部８１が、内側面２４、２５に４段分形成されている。そして、その向こうに各段に対応する挿入孔４として大径部４５と小径部４７を見ることができる。
【００３９】
そして、１本目のテープ心線９１が、光ファイバ９の先端が当たらないように注意されながら、その曲面部９６、９６を案内部８の最下段の受部８１、８１に嵌め込むように差し入れられる。そして、受部８１に従って挿入面５までスライドされ、そのまま押し進められて対応する位置に設けられている挿入孔４に各光ファイバ９が自然と挿入される。続いて、下から２段目の受部８１、８１に２本目のテープ心線９１が同様に差し入れられて、光ファイバ９が挿入孔４に挿入され、順次最上段まで繰り返される。これにより４段のテープ心線９１の多心光コネクタ１への挿入が完了する。
【００４０】
なお、テープ心線９１の挿入の手順としては、上述したように１本ずつ差し込んでもよいが、図５に示すようにあらかじめテープ心線９１を４段重ねて案内部８に差し込んで、同時にスライドさせて各光ファイバ９を対応する挿入孔４に挿入することもできる。この場合、挿入作業の時間を大幅に短縮し、作業効率を向上させることができる。
【００４１】
また、上述の説明では、案内部８は受容口２１から挿入面５まで連続して設けているが、部分的に設けるよう構成してもよい。
【００４２】
次に、本発明の実施の形態（２）を図面に基づいて説明する。図６は実施に形態（２）の多心光コネクタの縦断面図である。なお、実施の形態（１）と同様の説明には同一符号を付し詳細を省略する。
【００４３】
この実施の形態の多心光コネクタ１は、光ファイバ９の平坦部９５に対応する案内部８を設けていることを特徴とするものである。図６では、突起部８２に替えて平坦部９５に対応する板状受部８４を隣り合った受部８１の仕切りとして設けている。すなわち、テープ心線９１の外形に完全に適合するよう構成された受部８１、板状受部８４を、テープ心線９１の段数分（図６では３段分）設けている。この場合、開口部６は設けず、接着剤は受容口２１から流し入れるようにしている。この図６の構成により、受部８１と板状受部８４とに囲まれた中にテープ心線９１が挿入され、安定して各段のテープ心線９１をスライドさせることができる。
【００４４】
次に、本発明の実施の形態（３）を図面に基づいて説明する。図７は実施の形態（３）の多心光コネクタの要部を背面から見た図で、実施の形態（１）の図４に対応している。なお、実施の形態（１）と同様の説明には同一符号を付し詳細を省略する。
【００４５】
この実施の形態の多心光コネクタ１は、案内部８に、厚み方向に積層されるテープ心線９１を載置させる底面と、テープ心線９１の幅方向の寸法Ｗに適合する間隔で対向しテープ心線９１の幅方向の位置を規制する側面とが設けられることを特徴とするものである。
【００４６】
図７に示すように、案内部８は、受容口２１から見て横寸法Ｘ、縦寸法Ｙの矩形形状に形成されており、案内部８の底面には内部空間２３の底面２８を、また対向する側面には内部空間２３の内側面２４、２５をそのまま利用している。この横寸法Ｘは、テープ心線９１の幅（横、左右）方向の位置を規制するもので、テープ心線９１の挿入に必要な隙間やテープ心線９１の寸法のバラツキを考慮して、テープ心線９１の幅寸法Ｗより僅かに大きく設定されている。縦寸法Ｙは、テープ心線９１が接触して積層されるため、テープ心線９１の厚みＨに、配置するテープ心線９１の段数分を掛けた寸法（ここではＨ×４段）に、挿入時の作業に必要な余裕分（ΔＹとする）の寸法を加えて設定されている。このΔＹが小さいと、特に最上段のテープ心線９１を差し入れる際に、光ファイバ９が端面２７に接触することが心配されるため、作業性と全体寸法を考慮して適切な値が決められる。なお、この形態ではテープ心線９１が接触し位置決めに利用されるのは、内側面２４、２５、及び底面２８だけであるため、これらが平坦面であれば内部空間２３の上面２９側は必ずしも平坦面でなくてよい。
【００４７】
挿入面５の最下段の挿入孔４は、最下段のテープ心線９１を底面２８に接触させて置いてスライドさせたときに、各光ファイバ９がそのまま挿入できる位置に形成されている。また、下から２段目以上の挿入孔４は、テープ心線９１を下の段のテープ心線９１に接触させてスライドさせたときに、それぞれの段に対応する挿入孔４に光ファイバ９が挿入できる位置に形成されている。
【００４８】
このように構成された実施の形態（３）では、最下段にテープ心線９１を差し入れる場合には、テープ心線９１の平坦部９５を底面２８に接触させ、かつ幅寸法Ｗを案内部８の内側面２４、２５に接触させるよう差し入れスライドさせることで、光ファイバ９をそのまま挿入孔４に挿入することができる。また下から２段目のテープ心線９１は、最下段のテープ心線９１に平坦部９５を接触させ、かつ幅寸法Ｗを案内部８の内側面２４、２５に接触させるよう差し入れスライドさせることで、光ファイバ９をそのまま挿入孔４に挿入することができる。下から３段目以降も２段目と同じ手順で、光ファイバ９を挿入孔４に挿入することができる。
【００４９】
また実施の形態（１）と同様に、４段重ねたテープ心線９１を最下段のテープ心線９１の平坦部９５を底面２８に接触させるように案内部８に差し入れ、かつ４段全てのテープ心線９１の幅寸法Ｗを案内部８の内側面２４、２５に接触させるよう差し入れスライドさせることで、全ての光ファイバ９を同時に対応する挿入孔４に挿入させることもできる。
【００５０】
この実施の形態では、テープ心線９１の幅寸法Ｗを利用して内側面２４、２５で横（左右）方向を位置決めし、テープ心線９１の平坦部９５の厚みＨを利用して縦（上下）方向の位置決めをするよう構成している。すなわち、案内部８にテープ心線９１の曲面形状に適合させた特別な凹凸形状を設けずに、凹凸のない平坦面で簡素に構成することができる。これにより、光ファイバ９の挿入の作業を軽減できることに加えて、製造時の金型作製の負担や、成形における破損の可能性を大幅に低減することができ、歩留まりを大きく向上させることができる。
【００５１】
なお、実施の形態（３）では、テープ心線９１が平坦部９５を備えている場合について説明したが、平坦部９５を有しないテープ心線９１（例えば、第２被覆層９４がなく、隣接する第１被覆層９３が付着している場合）でも、この形態を適用することができる。
【００５２】
【発明の効果】
以上、詳述してきたように本発明の多心光コネクタは、光ファイバを挿入孔に挿入するために、光ファイバのテープ心線を案内部で案内するよう構成しているため、光ファイバの１本ずつをガイド溝で案内する従来のコネクタに比べて、光ファイバより大きな寸法のテープ心線を案内部に差し込むだけでよいため、挿入時の作業の負担が大幅に軽減される。
【００５３】
また、複数の段数のテープ心線を挿入する際には、テープ心線を重ねて差し込んで、同時に案内部で案内させることもできるため、作業にかかる時間も大幅に短縮することができる。
【００５４】
さらに、この案内部はテープ心線の寸法に合わせているため、光ファイバの１本ずつに寸法を合わせた従来のガイド溝に比べて、成形のための金型が作りやすく、また、成形後の取り出しで破損しやすい部位もないため、製造工程でのリスクを大幅に低減し歩留まりを向上させることができる。
【図面の簡単な説明】
【図１】実施の形態（１）の多心光コネクタの背面から見た外観図である。
【図２】実施の形態（１）の多心光コネクタの前面から見た外観図である。
【図３】実施の形態（１）の多心光コネクタの縦断面図である。
【図４】実施の形態（１）の多心光コネクタの要部を背面側から見た図である。
【図５】実施の形態（１）の多心光コネクタへの挿入動作の他例を示す縦断面図である。
【図６】実施に形態（２）の多心光コネクタの縦断面図である。
【図７】実施の形態（３）の多心光コネクタの要部を背面側から見た図である。
【符号の説明】
１　多心光コネクタ
２　フェルール
２１　受容口
２２　ガイド孔
２３　内部空間
２４、２５　内側面
２６　段付部
２７　一方の端面
２８　底面
２９　上面
３　支持部
４　挿入孔
４０　挿入孔列
４５　大径部
４６　テーパ部
４７　小径部
５　挿入面
６　開口部
７　接続面
８　案内部
８１　受部
８１１　底点
８２　突起部
８２１　先端点
８２２　仮想頂点
８３　端部
８４　板状受部
９　光ファイバ
９１　テープ心線
９２　外被覆層
９３　第１被覆層
９４　第２被覆層
９５　平坦部
９６　曲面部
９７　外被覆層の先端部
９８　光ファイバの先端部
【図１】
2004069838.tif 000003
【図２】
2004069838.tif 000004
【図３】
2004069838.tif 000005
【図４】
2004069838.tif 000006
【図５】
2004069838.tif 000007
【図６】
2004069838.tif 000008
【図７】
2004069838.tif 000009